(57)【特許請求の範囲】
【請求項１】
塗布具本体内に内蔵されるとともに、互に噛合する供給ギアと巻取りギアとの駆動により、上記塗布具の先端に配設される転写ヘッドに対して、供給リールカラーに巻回される未使用の糊或は修正塗膜転写テープを送出し巻取りリールカラーに巻回する塗布具であって、塗布具本体に対し把持部を、転写ヘッドの先端端縁方向に回動自在かつ任意の位置において固定自在に配設してなる塗布具容器。
【請求項２】
塗布具本体を収容可能とする中空部を設けた把持部よりなる請求項１記載の塗布具容器。
【発明の詳細な説明】
【０００１】
【発明の属する技術分野】
この発明は、塗布具、特に塗布具容器内に内蔵する糊或は修正塗膜転写テープ（以下「転写テープ」という。）により接着あるいは修正してなる塗布具の容器の構造に関する。
【０００２】
【従来の技術】
従来、塗布具、特に塗布具容器内に内蔵する転写テープにより接着或は修正してなる塗布具においては、供給リールカラー及び巻取りリールカラーに各々一体となり、互に噛合する供給ギアと巻取りギアとの駆動により、塗布具容器の先端に配設される転写ヘッドに対して供給リールカラーに巻回される未使用の転写テープを送出すると同時に、転写ヘッドを経由した使用済みの転写テープを巻取りリールカラーに巻回する転写テープ送出・巻取り機構が塗布具容器内に収納されている。そのため、転写ヘッドの先端の端縁は塗布具容器に対して固定されており、その塗布具容器の大きさは、その内蔵する転写テープ送出・巻取り機構の大きさによって規制されるものの、塗布具容器の小型化は、その携帯や保管の利便性を増大させることから、その小型化が種々提案されて来た。
【０００３】
【発明が解決しようとする課題】
しかしながら、上記従来のものにおいては、転写ヘッドの先端の端縁方向が塗布具容器に対して固定されているため、塗布具の使用に際して、転写テープの塗付対象部分が縦横の方向に交錯している場合、その方向転換点において塗布具を把持したまま、手首あるいは腕を返す必要があり、特にその方向転換点近傍において塗付作業を困難にするという欠点があった。
【０００４】
また、塗布具容器の小型化が、携帯や保管の利便性を向上させるものの、逆に、塗布具の使用に際しては、把持部分が小さくなって把持し難く、操作性を低下させるという欠点があった。
【０００５】
そこでこの発明は、上記従来のものの有する欠点を改善するものであり、簡単な構造により、塗付対象の方向転換点近傍においても、手首あるいは腕を返すことなく容易に塗布作業を継続しうるようにし、更には、塗布具の携帯や保管の利便性を保持したまま、把持し易く操作性を向上させるものである。
【０００６】
【課題を解決するための手段】
そのために、塗布具本体内に転写テープ送出・巻取り機構を内蔵する塗布具において、塗布具本体に対し、把持部を転写ヘッドの先端端縁方向に回動自在かつ任意の位置において固定自在に配設し、更に、その把持部に塗布具本体を収容可能とする中空部を設けてなるものである。
【０００７】
【発明の実施の形態】
上記構成を具えるので、実施にあたり、塗付対象部分に縦横の方向への交錯があっても、塗付具本体に対して把持部を適宜の角度を有する状態に回転させて固定することにより、手首或は腕を返すことなく塗布具を操作することができることで塗布具の操作性を向上させることができ、更に又、把持部に中空部を設けることにより、塗布具の携帯あるいは保管にあたっては、転写テープ送出・巻取り機構を内蔵する塗布具本体を把持部の中空部まで回動の上収容固定することによって全体を小型化することができ、しかもその際、転写ヘッドの先端部の前方に把持部が位置することとなって、転写ヘッドの先端部に掛け渡された転写テープが不用意に他の物と接触して、その塗付された糊或は修正塗膜により汚損する危険を排除することができ、また、塗布具の使用に際しては、前記状態から把持部を１８０°回転させて固定することにより、塗布具本体自体が小型化されても、その塗布具本体の後方に把持部が位置することとなって、その塗付具本体と把持部とを一体として把持することによって塗付具の把持が容易となり、塗付具の操作性も向上する。
【０００８】
【実施例】
この発明を図に示す実施例により更に説明する。（１）はこの発明の実施例である塗布具であり、この塗布具（１）は塗布具本体（２）とそれに回動自在に軸着される把持部（３）とからなり、塗布具本体（２）先端には転写ヘッド（４）が突出するとともに、その転写ヘッド（４）の先端端縁（４′）は、塗布対象部分に接して転写テープ（５）の塗布面を塗布してなるものである。上記塗布具本体（２）内には、供給リールカラー及び巻取りリールカラーに各々一体となり、互に噛合する供給ギアと巻取りギアとの駆動により、前記転写ヘッド（４）に対して供給リールカラーに巻回される未使用の転写テープ（５）を送出すると同時に、転写ヘッド（４）を経由した使用済みの転写テープ（５）を巻取りリールカラーに巻回する転写テープ送出・巻取り機構が内蔵され、又、塗布具本体（２）の略後端には、その上面と下面とにそれぞれ円柱状の支軸突起（６）が設けられるとともに、その支軸突起（６）を中心として塗布具本体（２）の前後方向に第一係合凹部（７ａ）と第三係合凹部（７ｃ）が設けられ、また、その第一係合凹部（７ａ）から右回りに９０°回転した位置に第二係合凹部（７ｂ）が設けられる。一方、把持部（３）は中央が中空部（８）となり、その中空部（８）を形成する上下の各アーム部（９）の内側には支軸嵌合凹部（１０）と係合凸部（１１）が設けられ、支軸嵌合凹部（１０）は前記塗布具本体（２）の支軸突起（６）と嵌合し、更には、係合凸部（１１）は前記各係合凹部（７ａ）（７ｂ）（７ｃ）と係合するよう位置決めされている。なお、図４，図５に示すように塗布具本体（２）の支軸突起（６）の部分を把持部（３）の厚みだけ段差をつけ、低くすることにより把持部（３）を少なくとも９０°回転できるように軸着することができ、その上、段差部端縁に把持部（３）のアーム部（９）側縁が当接して支持するから確実に把持して塗布することができる。
【０００９】
この発明は以上の構成を具えるので、把持部（３）の上下のアーム部（９）の内側に設けられた支軸嵌合凹部（１０）を、塗布具本体（２）の支軸突起（６）と嵌合させると、塗布具本体（２）と把持部（３）とは回動自在に嵌合固定される。そして塗布具（１）を使用する際には、先ず、把持部（３）を塗布具本体（２）に対して回転させ、把持部（３）の上下のアーム部（９）の内側に設けられた係合凸部（１１）と塗布具本体（２）に設けられた第三係合凹部（７ｃ）とを係合させて、把持部（３）を塗布具本体（２）に対して１８０°開いた状態で固定する。これにより、把持部（３）及び塗布具本体（２）を一体として塗布具（１）を把持することができ、把持する部分が大きくなることで塗布具（１）自体の操作性が向上する。そして、塗付対象部分の方向が変動した場合には、塗布具本体（２）に対して把持部（３）を回動方向に強く押圧して、前記係合凸部（１１）と第三係合凹部（７ｃ）との係合を解除し、更に把持部（３）を回転させて係合凸部（１１）と第二係合凹部（７ｂ）とを係合させ、把持部（３）を塗布具本体（２）に対して直角になる位置で固定する。これにより、把持部（３）と塗布具本体（２）先端の転写ヘッド（４）とが直角の位置関係となっているため、前述した把持部（３）と塗布具本体（２）とが１８０°開いて固定された状態における塗布具（１）の把持方法と同じ握り方で把持部（３）を握ったままで、塗付対象部分の縦あるいは横方向への方向転換に容易に対応することができる。また、更に、塗布具（１）の携帯あるいは保管に際しては、前記同様、塗布具本体（２）に対して把持部（３）を回動方向に強く押圧して、前記係合凸部（１１）と第二係合凹部（７ｂ）との係合を解除し、更に把持部（３）を回転させて、把持部（３）の中空部（８）内に塗布具本体（２）を収容し、係合凸部（１１）と第一係合凹部（７ａ）とを係合させて、把持部（３）を塗布具本体（２）に対して重なり合う位置で固定する。これにより、塗布具（１）は折り畳まれた状態となって小型化し、しかも転写ヘッド（４）の前方を把持部（３）が覆うため、転写ヘッド（４）に掛け渡された転写テープ（５）が、携帯や保管中に不用意に塗付対象物以外の物に接触して、その物を汚損するという危険も回避することができる。
【００１０】
なお、把持部（３）の塗布具本体（２）への固定方法としては、上記実施例における方法に限定されるものではなく、螺子による方法等、固定及びその解除が容易に行えるものであればよく、前述のように段差をつけることとすれば、塗布具本体を把持部内に収容することはできないが、把持した場合段差なく把持を容易にすることができる。
【００１１】
【発明の効果】
以上の通り、塗布具本体に対して把持部を直角に屈曲固定可能としたため、塗布具を把持した状態で手首或は腕を返すことなく、塗布具本体と把持部とを屈曲させることにより塗付対象部分の方向転換に容易に対応することができ、塗布具の操作性を向上させるとともに、塗布具本体と把持部とを１８０°に開いた状態に固定すれば、塗布具全体として把持し易く、その点においても塗布具の操作性を向上させ、又更に、把持部に中空部を設ければ、塗布具本体を小型化した際にも、その小型化の利便性を維持したまま塗布具の操作性の向上を図ることができるという優れた効果を有するものである。
【図面の簡単な説明】
【図１】この発明の実施例である塗布具の分解斜視図である。
【図２】同じく把持部を塗布具本体に対して直角に屈曲させた状態における斜視図である。
【図３】同じく把持部の中空部に塗布具本体を収容した状態における斜視図である。
【図４】この発明の他の実施例の塗布具本体と把持部を直線状とした時の斜視図。
【図５】図４の実施例の直角に屈曲させた状態における斜視図である。
【符号の説明】
１  塗布具
２  塗布具本体
３  把持部
４  転写ヘッド
４′（転写ヘッド）先端端縁
５  転写テープ
６  支軸突起
７ａ  第一係合凹部
７ｂ  第二係合凹部
７ｃ  第三係合凹部
８  中空部
９  アーム部
１０  支軸嵌合凹部
１１  係合凸部
【図１】
0003711508.tif 000002
【図２】
0003711508.tif 000003
【図３】
0003711508.tif 000004
【図４】
0003711508.tif 000005
【図５】
0003711508.tif 000006